(57)【要約】【課題】コンクリート製またはセメント製の壁面部材に比べて壁面構造体を施工する経費を低減できると共に工期が短縮する。海岸地帯に軽量盛土構造体の壁面構造体を施工するであっても、塩害により壁面部材の耐久性の低下を防止する。寒冷地に軽量盛土構造体の壁面構造体を施工する場合であっても、付着した雨水等の凍結により壁面部材が容易に破断するのを防止して耐久性を高くする。【解決手段】軽量盛土構造体１の側面に施工される壁面構造体１３の壁面部材１５を、廃熱可塑性樹脂材及び廃熱可塑性樹脂材より熱伝導率が高い廃無機フィラーを主原料として多角形状に成形し、固定部材１７により発泡ブロック体５の側面に固定する。【選択図】          図３
2007009587.tif 000002
【特許請求の範囲】
【請求項１】
発泡ブロック体を多段状に積み上げて盛土とする軽量盛土構造体の側面に施工される壁面構造体を構成する壁面部材は、廃熱可塑性樹脂材及び廃熱可塑性樹脂材より熱伝導率が高い廃無機フィラーを主原料として多角形状に成形され、固定部材により発泡ブロック体の側面に固定可能とした壁面構造体の壁面部材。
【請求項２】
発泡ブロック体を多段状に積み上げて盛土とする軽量盛土構造体の側面に施工される壁面構造体を構成する壁面部材は、廃熱可塑性樹脂材及び廃木質粉砕材、廃熱硬化性樹脂粉砕材、廃ガラス粉砕材の少なくともいずれかからなる廃粉砕材を主原料として多角形状に成形され、固定部材により発泡ブロック体の側面に固定可能とした壁面構造体の壁面部材。
【請求項３】
請求項１又は２の壁面部材は、表面に紫外線吸皮膜及び防炎処理皮膜のいずれかを被覆した壁面構造体の壁面部材。
【請求項４】
発泡ブロック体を多段状に積み上げて盛土とする軽量盛土構造体の側面に施工される壁面構造体を構成する壁面部材は、金属材により多角形状に形成され、固定部材により発泡ブロック体の側面に固定可能とした壁面構造体の壁面部材。
【請求項５】
請求項４の壁面部材は、中空を設けた壁面構造体の壁面部材。
【請求項６】
請求項１、２、４の壁面部材は、ハニカム状に配列されて壁面構造体を形成する形状とした壁面構造体の壁面部材。
【請求項７】
請求項１、２、４の固定部材は、壁面部材に一体形成されて対応する発泡ブロック体に固定可能とした壁面構造体の壁面部材。
【請求項８】
請求項１、２、４の固定部材は、発泡ブロック体に固定されるボルトナット、ピン、タイバー又はタイプレート、シート状ジオシンセティックのいずれかからなり、壁面部材を固定可能とした壁面構造体の壁面部材。
【請求項９】
請求項７及び８の固定部材は、発泡ブロック体内又は発泡ブロック体相互間に固定される部分に抜止め部を設けた壁面構造体の壁面部材。
【請求項１０】
請求項１、２、４の壁面構造体は、軽量盛土構造体の発泡ブロック体に対して砕石層及び土砂層のいずれかを設けて施工した壁面構造体の壁面部材。
【請求項１１】
請求項１乃至１０の発泡ブロック体は、発泡樹脂ブロック及び発泡コンクリートブロックのいずれかとした壁面構造体の壁面部材。
【請求項１２】
発泡ブロック体を多段状に積み上げて盛土した軽量盛土構造体の側面に対し、廃熱可塑性樹脂材及び廃熱可塑性樹脂材より熱伝導率が高い廃無機フィラーを主原料として多角形状に成形された多数の壁面部材を、相対する各辺が隣接するように配列して固定部材により発泡ブロック体の側面に固定した壁面構造体。
【請求項１３】
発泡ブロック体を多段状に積み上げて盛土した軽量盛土構造体の側面に対し、廃熱可塑性樹脂材及び廃木質粉砕材、廃熱硬化性樹脂粉砕材、廃ガラス粉砕材の少なくともいずれかからなる廃粉砕材を主原料として多角形状に成形された多数の壁面部材を、相対する各辺が隣接するように配列して固定部材により発泡ブロック体の側面に固定した壁面構造体。
【請求項１４】
発泡ブロック体を多段状に積み上げて盛土した軽量盛土構造体の側面に対し、金属材により多角形状に形成された多数の壁面部材を、相対する各辺が隣接するように配列して固定部材により発泡ブロック体の側面に固定した壁面構造体。
【請求項１５】
請求項１２乃至１４の発泡ブロック体は、発泡樹脂ブロック及び発泡コンクリートブロックのいずれかとした壁面構造体。
【発明の詳細な説明】
【技術分野】
【０００１】
本発明は、例えば硬質発泡スチロール樹脂、硬質発泡ウレタン樹脂等の発泡樹脂や発泡コンクリート等の発泡ブロック体を軽量盛土材として多段に積み上げた軽量盛土構造体の壁面部材及び壁面構造体に関する。
【背景技術】
【０００２】
近年、軟弱地盤や地滑り地（傾斜地）等の地盤を改良する盛土工法として、例えば特許文献１に示すように発泡スチロール樹脂ブロック等の発泡ブロック体を軽量盛土材として使用して多段に積み上げた後に、表層側に通常の土砂や舗装体を舗設した軽量盛土構造体が知られている。
【０００３】
この軽量盛土構造体の側面には、多段に積み上げられた発泡ブロック体が露出して景観を損なったり、荷重により発泡ブロック体が位置ずれして崩落するのを防止するため、壁面構造体を施工している。
【０００４】
壁面構造体としては、例えばＨ鋼等の重量鉄骨支柱を軽量盛土構造体の側面に沿って所定の間隔をおいて打ち込み、これら鉄骨支柱間にプレキャスト製の鉄骨入りコンクリートパネルや押出し成形セメントパネル等の壁面パネルを嵌め込んで壁面構造体を形成する工法や軽量盛土構造体の側面に沿ってコンクリートを流し込んでコンクリート壁を施工して壁面構造体を形成する工法が知られている。
【０００５】
前者にあっては、Ｈ鋼等の重量鉄骨支柱を土中に打込んだり、重量鉄骨支柱間に高所から壁面パネルを嵌め込んだりするのに大型重機を使用する必要があるが、しかし、上記した軽量盛土工法は、地盤が軟弱であったり、傾斜地等のような地盤を改良する盛土工法として採用されるもので、大型重機自体が入り込むことが困難な地盤である。このため、このような地盤に大型重機を入れるには、壁面構造体を施工する前に大型重機の重量に耐えられるように地盤を強固にする必要があり、このための経費が増大すると共に工期が長くなる問題を有している。
【０００６】
また、重量鉄骨支柱間に壁面パネルを嵌め込む作業は、軽量盛土構造体の側面上方の高所から行う必要があり、これら壁面パネル自体が重量物であるため、高所作業により作業者の危険性が高かった。更に、海岸地域に軽量盛土構造体を施工する場合にあっては、コンクリート製やセメント製の壁面パネルが、付着した海水の成分により腐食され易く、壁面構造体の耐久性が悪かった。更に、寒冷地に軽量盛土構造体を施工する場合にあっては、壁面パネル内に浸透した雨水が凍結して体積膨張を繰り返すことにより壁面パネルが破断し易く、壁面構造体の耐久性が悪かった。
【０００７】
後者にあっては、軽量盛土構造体の側面に露出する発泡ブロック体の側面に沿ってコンクリート型枠を組立てた後に、型枠内にコンクリートを流し込んで施工するため、型枠を組立てたり、撤去するための経費が余分にかかると共に上記作業に要する日数のほかにセメントが固まるのに日数がかかり、工期が長くなる問題を有している。
【特許文献１】特開２００４−２１８２５６号公報
【発明の開示】
【発明が解決しようとする課題】
【０００８】
解決しようとする問題点は、コンクリート製またはセメント製の壁面部材にあっては、壁面構造体を施工する経費が増大すると共に工期が長くなる点にある。海岸地帯でコンクリート製またはセメント製の壁面部材により軽量盛土構造体の壁面構造体を施工する場合には、海水により壁面部材が腐食し易く、耐久性が悪い点にある。寒冷地でコンクリート製またはセメント製の壁面パネルにより軽量盛土構造体の壁面構造体を施工する場合には、浸透した雨水が凍結することにより壁面部材が破断し易く、耐久性が悪い点にある。
【課題を解決するための手段】
【０００９】
請求項１は、発泡ブロック体を多段状に積み上げて盛土とする軽量盛土構造体の側面に施工される壁面構造体を構成する壁面部材は、廃熱可塑性樹脂材及び廃熱可塑性樹脂材より熱伝導率が高い廃無機フィラーを主原料として多角形状に成形され、固定部材により発泡ブロック体の側面に固定可能としたことを特徴とする。
【００１０】
請求項２は、発泡ブロック体を多段状に積み上げて盛土とする軽量盛土構造体の側面に施工される壁面構造体を構成する壁面部材は、廃熱可塑性樹脂材及び廃木質粉砕材、廃熱硬化性樹脂粉砕材、廃ガラス粉砕材の少なくともいずれかからなる廃粉砕材を主原料として多角形状に成形され、固定部材により発泡ブロック体の側面に固定可能としたことを特徴とする。
【００１１】
請求項４は、発泡ブロック体を多段状に積み上げて盛土とする軽量盛土構造体の側面に施工される壁面構造体を構成する壁面部材は、金属材により多角形状に成形され、固定部材により発泡ブロック体の側面に固定可能としたことを特徴とする。
【００１２】
請求項１２は、発泡ブロック体を多段状に積み上げて盛土した軽量盛土構造体の側面に対し、廃熱可塑性樹脂材及び廃熱可塑性樹脂材より熱伝導率が高い廃無機フィラーを主原料として多角形状に成形された多数の壁面部材を、相対する各辺が隣接するように配列して固定部材により発泡ブロック体の側面に固定したことを特徴とする。
【００１３】
請求項１３は、発泡ブロック体を多段状に積み上げて盛土した軽量盛土構造体の側面に対し、廃熱可塑性樹脂材及び廃木質粉砕材、廃熱硬化性樹脂粉砕材、廃ガラス粉砕材の少なくともいずれかからなる廃粉砕材を主原料として多角形状に成形された多数の壁面部材を、相対する各辺が隣接するように配列して固定部材により発泡ブロック体の側面に固定したことを特徴とする。
【００１４】
請求項１４は、発泡ブロック体を多段状に積み上げて盛土した軽量盛土構造体の側面に対し、金属材により多角形状に形成された多数の壁面部材を、相対する各辺が隣接するように配列して固定部材により発泡ブロック体の側面に固定したことを特徴とする。
【発明の効果】
【００１５】
本発明は、コンクリート製またはセメント製の壁面部材に比べて壁面構造体を施工する経費を低減できると共に工期が短縮することができる。海岸地帯に軽量盛土構造体の壁面構造体を施工するであっても、塩害により壁面部材の耐久性の低下を防止することができる。寒冷地に軽量盛土構造体の壁面構造体を施工する場合であっても、付着した雨水等の凍結により壁面部材が容易に破断するのを防止して耐久性を高くすることができる。
【発明を実施するための最良の形態】
【００１６】
請求項１は、軽量盛土構造体の側面に施工される壁面構造体の壁面部材を、廃熱可塑性樹脂材及び廃熱可塑性樹脂材より熱伝導率が高い廃無機フィラーを主原料として多角形状に成形し、固定部材により発泡ブロック体の側面に固定可能にすることを最良の形態とする。
【００１７】
請求項２は、軽量盛土構造体の側面に施工される壁面構造体の壁面部材を、廃熱可塑性樹脂材及び廃木質粉砕材、廃熱硬化性樹脂粉砕材、廃ガラス粉砕材の少なくともいずれかからなる廃粉砕材を主原料として多角形状に成形し、固定部材により発泡ブロック体の側面に固定する可能にすることを最良の形態とする。
【００１８】
請求項４は、軽量盛土構造体の側面に施工される壁面構造体の壁面部材を、金属材により多角形状に成形し、固定部材により発泡ブロック体の側面に固定可能にすることを最良の形態とする。
【００１９】
請求項１２は、廃熱可塑性樹脂材及び廃熱可塑性樹脂材より熱伝導率が高い廃無機フィラーを主原料として多角形状に成形された多数の壁面部材を、相対する各辺が隣接するように配列して固定部材により発泡ブロック体の側面に固定して壁面構造体を構成することを最良の形態とする。
【００２０】
請求項１３は、発泡ブロック体を多段状に積み上げて盛土した軽量盛土構造体の側面に対し、廃熱可塑性樹脂材及び廃木質粉砕材、廃熱硬化性樹脂粉砕材、廃ガラス粉砕材の少なくともいずれかからなる廃粉砕材を主原料として多角形状に成形された多数の壁面部材を、相対する各辺が隣接するように配列して固定部材により発泡ブロック体の側面に固定して壁面構造体を構成することを最良の形態とする。
【００２１】
請求項１４は、発泡ブロック体を多段状に積み上げて盛土した軽量盛土構造体の側面に対し、金属材により多角形状に形成された多数の壁面部材を、相対する各辺が隣接するように配列して固定部材により発泡ブロック体の側面に固定して壁面構造体を構成することを最良の形態とする。
【実施例１】
【００２２】
以下に実施形態を示す図に従って本発明を説明する。
図１〜図４において、軽量盛土構造体１は軟弱地盤や傾斜地盤に施工されるＥＰＳ工法と称される従来公知の盛土工法で、造成された支持地盤３上に発泡ブロック体としての多数の発泡スチロール樹脂ブロック５（以下、ＥＰＳブロックと称する。）を所定の高さになるように多段に積み上げてＥＰＳブロック群７を形成する。そしてＥＰＳブロック群７の上面には、例えば所定の厚さからなるコンクリート床体９を敷設した後に、路盤を含む舗装体１１を舗設して道路としている。そして多段に積み上げられたＥＰＳブロック群７の側面側には本発明に係る多数の壁面部材１５を組合わせた壁面構造体１３が施工される。
【００２３】
尚、積み上げられたＥＰＳブロック群７の各ＥＰＳブロック５は、全体に亘って差し込まれる鉄筋や、各ＥＰＳブロック５相互間に亘って差込まれる鉄筋や金結金具などにより固定される。また、ＥＰＳブロック群７においては、例えば４層おきに鉄筋入りコンクリート版１４を敷設し、各層のＥＰＳブロック５にかかる荷重を分散させる。
【００２４】
壁面部材１５は正面が正方形、矩形若しくは正多角形等のように各辺を隣接し合って組合わせ可能な形状からなる。この壁面部材１５は一定の厚さで成形してもよいが、重量化するのを避けるため、図３に示すように背面側内部を中空とし、背面側に多数のリブ１５ｃを形成して補強する構造としてもよい。
【００２５】
各壁面部材１５の各角部には壁面部材１５を組合わせた際に、ボルトやピン等の固定部材１７を挿通するための孔を形成する切欠き１５ａ及び固定部材１７の頭部やナットを係止して固定可能にする凹所１５ｂが形成されている。これら各壁面部材１５は、正面が六角形状の場合には、それぞれの各辺を互いに隣接させたハニカム状に配列して組合わせた後に、各角部に位置するそれぞれの切欠き１５ａ内を挿通する固定部材１７をＥＰＳブロック５に打ち込んで固定される。
【００２６】
この固定部材１７は各ＥＰＳブロック５に打ち込まれた際に、壁面部材１５を固定するのに充分な強度を得ることができる所定の長さで、ＥＰＳブロック５に打ち込まれる部分にＥＰＳブロック５からの抜け出しを規制するフックや大径部及び小径部からなる抜止め部としての係止部１７ａが形成されている。
【００２７】
各壁面部材１５は廃複合樹脂材料により形成される。廃複合樹脂材料としては、廃棄物である熱可塑性樹脂材（以下、廃熱可塑性樹脂材という。）及び同じく廃棄物で、廃熱可塑性樹脂材より熱伝導率が高い石炭灰やフライアッシュ等の無機フィラー（以下、廃無機フィラーという。）を主原料とし、これに必要に応じて難燃剤、強化剤、可塑剤、紫外線吸収剤、着色剤、帯電防止剤、抗菌剤等の助剤や廃熱可塑性樹脂材より熱伝導率が高い熱硬化性樹脂材を微粉砕した各種増量材を添加してなる。
【００２８】
廃熱可塑性樹脂材としては、ポリプロピレン、ポリエチレン、ポリスチレン、脱塩化ビニール、ポリウレタン、メタクリル樹脂等の熱可塑性樹脂からなる。また、廃無機フィラーとしては、石炭灰、フライアッシュ、高炉スラグ、炭化物、珪藻土、貝殻粉、炭酸カルシウム、アルミナや一部フィラー換算された熱硬化性樹脂で、熱可塑性樹脂より熱伝導率が高いものが適している。
【００２９】
そして上記した廃熱可塑性樹脂材を約４０〜７０wt%、従って廃無機フィラーを３０〜６０wt%の割合で混合した廃複合樹脂材料を加熱溶融して壁面部材１５に成形する。上記廃複合樹脂材料により成形された壁面部材１５は、コンクリートやセメントに比べて加工性、耐薬品性、耐強度性、耐候性、耐塩性、耐寒冷性に優れた特徴を有している。また、壁面部材１５はコンクリートパネルに比べて比重が１／２程度であり、更にリブ構造とすることにより１／４〜１／３に軽量化することができる特徴を有している。
【００３０】
次に、上記した壁面部材１５による壁面構造体１３の施工方法を説明する。
先ず、多数のＥＰＳブロック５を多段に積み上げて施工された軽量盛土構造体１の側面に露出するＥＰＳブロック群７の側面に対し、多数の壁面部材１５を、それぞれの辺が隣接するように水平方向及び上方向へ組合わせて、例えばハニカム状に配列しながら、各壁面部材１５の角部に位置する各切欠き１５ａにより形成される孔内に挿通される固定部材１７をＥＰＳブロック５内に打ち込み、その頭部又は固定部材１７にねじ止めされるナットを各凹所１５ｂに係止して固定することにより壁面構造体１３を施工する。
【００３１】
固定部材１７はＥＰＳブロック５に打ち込まれた際に、その係止部１７ａがＥＰＳブロック５に係止して抜け止めされるため、ＥＰＳブロック群１７の側面に対して壁面部材１５を強固に固定させることができる。尚、ＥＰＳブロック５自体、軽量盛土構造体１の上層側に敷設されるコンクリート床体９や舗装体１１、通過する車輌等の荷重により圧縮されるため、ＥＰＳブロック５自体が圧縮変形して係止部１７ａとの係止状態を強固にしてＥＰＳブロック５から固定部材１７が抜け出して壁面部材１５が外れを防止することができる。
【００３２】
ＥＰＳブロック群７の上部側面に壁面部材１５を固定する際には、ＥＰＳブロック群７の側面に沿って高所作業を行う必要があるが、壁面部材１５自体、従来のコンクリート製の壁面パネルに比べて軽量であるため、重機を導入することなく、壁面構造体１３を手作業で施工することができ、現場施工性に優れている。
【００３３】
上記のように施工された固定部材１７は、壁面部材１５自体、耐薬品性、耐強度性、耐候性、耐塩性、耐寒冷性に優れているため、軽量盛土構造体１の側面を長期にわたって確実に覆うことができる。特に、海岸地域に施工される軽量盛土構造体１の壁面構造体１３にあっては、コンクリート製やセメント製の壁面パネルに比べて壁面部材１５が海水により腐食されることがなく、また、寒冷地に施工される軽量盛土構造体１の壁面構造体１３にあっては、壁面部材１５に雨水等が浸透することがなく、従来の壁面パネルのように浸透した雨水等が凍結して体積膨張を繰り返すことにより破断するのを防止し、耐久性に優れた壁面構造体１３を構成することができる。
【００３４】
また、壁面部材１５自体、極めて低コストの廃熱可塑性樹脂材や廃無機フィラーを主原料とした成形品であるため、コンクリート製やセメント製のパネルを使用した壁面構造体に比べて製造コストを低減し、壁面構造体１３の施工コストを低減することができる。
【００３５】
更に、上記した壁面部材１５により施工された壁面構造体１３を改修して新たな壁面部材により施工する場合には、固定部材１７を抜き取ったりすることにより壁面部材１５を取り外すことができると共に取り外された使用済みの壁面部材１５は、新たな壁面部材や他の成形品の成形原料としてリサイクルすることができる。
【実施例２】
【００３６】
図５において、壁面部材４１は、実施例１と同様に廃熱可塑性樹脂材及び廃無機フィラーを主原料として成形されるもので、その背面に軸状やピン状の固定部材４３を一体成形したことを特徴とする。
【００３７】
固定部材４３は対応する軽量盛土構造体１のＥＰＳブロック５に対し、壁面部材４１を固定するのに必要な長さで、その外周または先端部にはＥＰＳブロック５内に喰い込んで抜け止めする抜止め部としての突部４３ａが一体に形成されている。尚、本実施例において実施例１と同一の部材に付いては、実施例１と同一の符号を付してその詳細な説明を省略する。
【００３８】
上記した壁面部材４１は、軽量盛土構造体１におけるＥＰＳブロック群７の各ＥＰＳブロック５に対し、各壁面部材４１相互を、相対する辺を一致させて、例えばハニカム状に配列しながら固定部材４３をＥＰＳブロック５に打ち込んで固定することにより壁面構造体１３を施工する。
【００３９】
本実施例は、ＥＰＳブロック群７における各ＥＰＳブロック５の側面に対して各壁面部材４１を、例えばハニカム状に配列しながら固定部材４３をＥＰＳブロック５内に打ち込むことにより固定することができ、実施例１のようにＥＰＳブロック５に対して各壁面部材１５を配列した後に切欠き１５ａから固定部材１７を挿入して打込む作業を省くことができ、施工作業を効率的に行うことができる。
【実施例３】
【００４０】
図６において、壁面部材５１は実施例１と同様に廃熱可塑性樹脂材及び廃無機フィラーを主原料として成形されたもので、その背面に一体成形された固定部材４３は以下のように構成される。尚、本実施例において実施例１と同一の部材に付いては、同一の符号を付してその詳細な説明を省略する。
【００４１】
即ち、壁面部材５１における上辺及び下辺の少なくとも一方（図５は上辺及び下辺に固定板５３を一体形成した例を示す。）には板状の固定板５３を一体成形する。該固定板５３は壁面部材５１の一辺に応じた幅で、ＥＰＳブロック５に対して充分な固定強度を得るのに必要な長さで延出し、その先端部にはＥＰＳブロック５に喰い込んで抜け止めする抜止め部として爪５３ａが一体形成されている。
【００４２】
尚、図示の例は、固定板５３の先端部上面に爪５３ａを一体形成したが、先端部下面または上面及び下面の双方に爪５３ａを一体形成してもよい。
【００４３】
本実施例は、軽量盛土構造体１におけるＥＰＳブロック群７の各ＥＰＳブロック５に対し、各壁面部材５１を、例えばハニカム状に配列しながら固定板５３をＥＰＳブロック５へ打ち込んで固定することにより壁面構造体１３を施工することができ、実施例１に比べてＥＰＳブロック５に対し、壁面部材１５の切欠き１５ａから固定部材１７を挿入して打込む作業を省くことができ、施工作業を効率的に行うことができる。
【実施例４】
【００４４】
図７において、壁面部材６１は実施例１と同様に廃熱可塑性樹脂材及び廃無機フィラーを主原料として成形されたもので、その上部及び下部の少なくとも一方に取付け孔６１ａ及び該取付け孔６１ａ周縁の凹所６１ｂが形成されている。
【００４５】
また、各ＥＰＳブロック５には、固定部材６３が、その固定部６３ａをＥＰＳブロック群７の側面から壁面部材６１の厚さに応じた長さで突出して固定されている。固定部材６３としては、例えばボルトナット、ピン、タイバーまたはタイプレート、ジオシンセティック等からなり、固定部材６３はＥＰＳブロック５内に打ち込まれて固定されたり、各ＥＰＳブロック５間にて挟持されることにより固定される。各固定部材６３はＥＰＳブロック５に対する固定強度を高くするため、多数の突部６３ｂが形成されている。図７は固定部材６３としてタイプレートを使用した例を示す。
【００４６】
そしてＥＰＳブロック群７の側面から突出した固定部６３ａを壁面部材６１の取付け孔６１ａ内に挿通した後に、ナットで固定したり、固定部６３ａの端部をかしめたり、変形させて壁面部材６１を固定することにより壁面構造体１３を施工する。
【００４７】
本実施例は、軽量盛土構造体１におけるＥＰＳブロック群７の各ＥＰＳブロック５に対し、壁面部材６１を配列した後に固定部材６３の固定部６３ａを固定することにより壁面構造体１３を施工することができ、実施例１に比べてＥＰＳブロック５に対して固定部材１７を打ち込んで固定する作業を省いて施工作業を効率的に行うことができる。
【実施例５】
【００４８】
上記した実施例１〜４は、ＥＰＳブロック群７の側面に対して多数個の壁面部材１５を固定してＥＰＳブロック群７を施工する例を示したが、図８に示す実施例５においては、ＥＰＳブロック群７の側面に対して多数の壁面部材４１（実施例５の壁面部材は、実施例２に示す壁面部材とする。）を所定幅の空隙を介して固定部材４３により固定した後に、この空隙間に砕石を充填した砕石層や、土砂を充填した土砂層の緩衝体７１を設ける。
【００４９】
砕石層により構成した緩衝体７１は、砕石相互間の間隙を介して雨水等を排水する排水層として機能すると共に緩衝体７１を砕石層及び土砂層とした場合には、防炎層として機能させることができる。
【実施例６】
【００５０】
実施例１乃至５の壁面部材１５、４１、５１、６１は、廃熱可塑性樹脂材を約４０〜７０wt%、従って廃無機フィラーを３０〜６０wt%の割合で混合した廃複合樹脂材料を加熱溶融して所望の形状に成形したが、上記実施例１乃至５の壁面部材１５，４１，５１，６１としては、廃熱可塑性樹脂材に、廃無機フィラーに代わって、廃棄物として排出される、間伐材等を粉砕した廃木質粉砕材、熱硬化性樹脂等の有機物を粉砕した廃有機粉砕材、ガラス等を粉砕した廃ガラス粉砕材の少なくともいずれかの廃粉砕材を、上記した割合で混合して溶融して成形したものであってもよい。
【００５１】
廃無機フィラーの代わりに上記した廃粉砕材を主原料として成形された壁面部材は、廃無機フィラーを使用した壁面部材１５、４１、５１、６１に比べて耐候性が劣っている。このため、壁面部材の表面に紫外線吸収層や防炎処理層を設けることにより耐候性を向上させることができる。紫外線吸収層としては、アクリル樹脂シートを積層したり、アクリル樹脂材をコートしたりすればよい。
【実施例７】
【００５２】
実施例１乃至６に示す壁面部材は、プレス成形、ダイキャスト成形され、金属材料から構成してもよい。尚、金属材料からなる壁面部材にあっては、所定の厚さの板材とする場合の他に、内部を中空形状に形成してもよい。内部を中空とした場合にあっては、内部に多数のリブを一体に形成して補強する構造にすればよい。
【実施例８】
【００５３】
図９及び図１０に示すように、ＥＰＳブロック群７における各ＥＰＳブロック５の側面に対し、上記した壁面部材１５、４１、５１、６１（図９及び１０においては、壁面部材を符号１５として示す。）を以下のように固定して壁面構造体９１を施工する。
【００５４】
即ち、支持地盤３上にＥＰＳブロック５を平面状に配列しながら、壁面部材１５が固定可能な高さになるように積み上げた後に、各ＥＰＳブロック５の側面に対し、壁面部材１５を水平方向へ配列しながら固定部材１７をＥＰＳブロック５に固定して壁面部材１５を取付ける。次に、壁面部材１５が固定されたＥＰＳブロック５の上面に、次のＥＰＳブロック５を、上記と同様に積み上げた後に、各壁面部材１５を、下方に固定された壁面部材１５に対し、相対する辺が隣接するように配列しながら固定部材１７により固定し、上記した作業の繰り返しによりＥＰＳブロック５を順次、積み上げながらその側面に対して壁面部材１５を取付けて壁面構造体９１を施工する。
【００５５】
壁面構造体９１の施工方法としては、ＥＰＳブロック５を積み上げながら壁面部材１５を固定する施工方法の他に、まず、支持地盤３上に多数のＥＰＳブロック１５を順に積み上げてＥＰＳブロック群７を形成した後に、コンクリート床体９及び舗装体１１を舗設して軽量盛土構造体１を施工した後に、ＥＰＳブロック群７の側面に沿って足場を組み立て、この足場を使ってＥＰＳブロック７の上部から下部へ、または下部から上部に向って書く壁面部材１５を配列しながら固定部材１７により固定して取付けることにより壁面構造体９１を施工する。
【００５６】
壁面部材１５として正面六角形状のものを使用してハニカム状に配列して固定して施工される壁面構造体９１にあっては、舗装体１１上を通過する車輌等の荷重によりそれぞれのＥＰＳブロック５が圧縮されて変形した場合であっても、壁面構造体７が壁面部材１５のハニカム状からなるため、壁面構造体７に作用する荷重を分散受承して破壊されるのを有効に回避することができる。
【００５７】
上記した各実施例の壁面部材は、その表面に軽量盛土構造体の施工現場に適合する各種デザインを設けたものであってもよいことは勿論である。また、軽量盛土構造体におけるＥＰＳブロック群の側面を垂直状に、この側面に沿った垂直状の壁面構造体としたが、軽量盛土構造体におけるＥＰＳブロック群の側面としては、傾斜状であってもよく、その場合には、その傾斜面に沿って多数の壁面部材を取付けて壁面構造体を施工してもよい。
【００５８】
また、上記説明は、発泡ブロック体を硬質発泡スチロール樹脂のＥＰＳブロック７としたが、本発明においては、ほかに硬質発泡ウレタン樹脂ブロック、発泡ポリアミド樹脂ブロックや発泡コンクリートブロックのいずれであってもよい。
【図面の簡単な説明】
【００５９】
【図１】本発明に係る軽量盛土構造体の一例を示す説明図である。
【図２】壁面部材を示す斜視図である。
【図３】壁面部材の他の構造を示す説明図である。
【図４】壁面構造体の取付け状態を示す一部断面説明図である。
【図５】実施例２の壁面部材を示す斜視図である。
【図６】実施例３の壁面部材を示す斜視図である。
【図７】実施例４の壁面部材を示す斜視図である。
【図８】実施例５を示す説明図である。
【図９】壁面構造体を示す斜視図である。
【図１０】図９のＡ−Ａ線縦断面図である。
【符号の説明】
【００６０】
１  軽量盛土構造体
３  支持地盤
５  ＥＰＳブロック
７  ＥＰＳブロック群
１５  壁面部材
１７  固定部材
【図１】
2007009587.tif 000003
【図２】
2007009587.tif 000004
【図３】
2007009587.tif 000005
【図４】
2007009587.tif 000006
【図５】
2007009587.tif 000007
【図６】
2007009587.tif 000008
【図７】
2007009587.tif 000009
【図８】
2007009587.tif 000010
【図９】
2007009587.tif 000011
【図１０】
2007009587.tif 000012